(57)【要約】【課題】個人ごとに異なる証明用イメージを必要とするＩＤカードを速やかに発行処理し、カード一枚あたりの作成単価を抑える。【解決手段】裏面に剥離紙１０を備える印刷シール１１と、この印刷シールの表面に配した保護フィルム２０とを備える。印刷シールは、中間位置に折り曲げ用のライン１２を備え、少なくとも表面側となる印刷面に、証明用のイメージの大きさに見合う打ち抜き部１４を備える。保護フィルムは、裏面に接着剤コーティング層２５を備えるとともに、予め印刷シールの裏面側に貼着しておく貼着領域２６と、裏面に剥離材２７を設けた非貼着領域２８とを備える。【選択図】    図１
2005001223.tif 000002
【特許請求の範囲】
【請求項１】
証明用のイメージを配したＩＤカードを作成するための台紙であって、
裏面に剥離紙を備える印刷シールと、この印刷シールの表面に配した保護フィルムとを備え、
前記印刷シールは、
中間位置に折り曲げ用のラインを備えるとともに、
少なくとも表面側となる印刷面に、証明用の肉薄材の大きさに見合う打ち抜き部を備え、
前記保護フィルムは、
裏面に接着剤コーティング層を備えるとともに、
予め印刷シールの裏面側に貼着しておく貼着領域と、
裏面に剥離材を設けた非貼着領域とを備える、ことを特徴とするＩＤカードの作成台紙。
【請求項２】
証明用の肉薄材は、写真およびＩＣチップのうち少なくとも一方であることを特徴とする請求項１記載のＩＤカードの作成台紙。
【請求項３】
印刷シールは、折り曲げ用のラインを挟んで位置する表面側印刷面と裏面側印刷面に、それぞれ証明用の肉薄材の大きさに見合う打ち抜き部を備えることを特徴とする請求項１または請求項２記載のＩＤカードの作成台紙。
【発明の詳細な説明】
【０００１】
【発明の属する技術分野】
本発明は、身分証明用の写真やＩＣチップ等、各種の身分証明材を配したＩＤカードを作成するためのカード用台紙の構造に関する。
【０００２】
【従来の技術】
身分証明用の写真やサイン、ＩＤチップ等、個人を客観的に特定し識別する肉薄のＩＤ素材（以下、単にイメージ）を用いて身分証明用のカード（以下、ＩＤカードという）を作成するには、従来一般には、所定の事項が記載されたカード台紙の適当箇所にイメージを接着剤などを使って貼付し、その上から透明フィルムをかぶせて加熱圧着している。証明用イメージは、例えば、顔写真、サインとともに許可印が押印された紙片等である。
【０００３】
また、スキャナ装置を用いて写真をコンピュータの端末装置に取り込み、端末装置内に予め用意してあるカード台紙データにイメージを合成して、この合成データを好ましいカード素材に印刷する場合もある。
【０００４】
【発明が解決しようとする課題】
ところで、かかる従来のＩＤカードの問題は、カード一枚あたりの作成単価が高くつく点にある。透明フィルムを加熱圧着する方式では、圧着装置と専用のフィルムを必要とするし、コンピュータの端末装置を介した印刷出力方式でも、ＩＤカードを発行する店舗や担当セクションに、カード発行用の専用プログラムを備えた端末装置を必ず配備する必要があるからである。
【０００５】
コンピュータ端末装置を用いると、同一のカードを大量に作成する場合には作成効率も良く、またカード一枚あたりの作成単価もある程度は低減することが出来るが、ＩＤカードを大量作成することは殆どあり得ない。ＩＤカードは、そもそも個人が一枚だけ保持するものだからである。透明フィルムを加熱圧着する方法は、もともと大量作成には不向きであり、ＩＤカードの作成単価を引き下げることには無理がある。
【０００６】
また、従来のＩＤカードの第二の問題は、速やかなカード発行が難しいことである。
【０００７】
コンピュータ装置を使う場合も写真の取り込みを個別に行い個別に印刷出力する必要があるため、複数人のＩＤカードは順次作成する必要があり、装置台数を増やしたとしても同時進行的に多数のＩＤカードを作成することには限界がある。透明フィルムを加熱圧着する方法も、専用装置を用いて順次作成するため、装置台数を増やしても同時進行的な多数のカード作成には限界がある。しかも、ＩＤカードは、カードの発行事務を行う者と、カードの保持を希望する者が一対一で身分証明の手続きと確認を行うため、装置台数を安易に増やすことも無理である。カードの発行事務を行う者も必然的に増加させる必要が生じ、カードの作成単価が却って高騰するからである、
【０００８】
そこで、本発明の目的は、個人ごとに異なる証明用の肉薄材（イメージ）を必要とするカードの作成にあたって、カードの発行処理の迅速を可能とすると同時に、カード一枚あたりの作成単価を格段に低減可能とする点にある。
【０００９】
【課題を解決するための手段】
前記目的を達成するため、本発明に係るＩＤカードの作成台紙は、裏面に剥離紙を備える印刷シールと、この印刷シールの表面に配した保護フィルムとを備える。印刷シールは、中間位置に折り曲げ用のラインを備え、少なくとも表面側となる印刷面に、証明用の肉薄材の大きさに見合う打ち抜き部を備える。保護フィルムは、裏面に接着剤コーティング層を備えるとともに、予め印刷シールの裏面側に貼着しておく貼着領域と、裏面に剥離材を設けた非貼着領域とを備える（請求項１）。
【００１０】
証明用の肉薄材は、写真または／およびＩＣチップとする場合がある（請求項２）。  また、印刷シールは、折り曲げ用のラインを挟んだ表面側と裏面側に、それぞれ証明用の肉薄材の大きさに見合う打ち抜き部を備える場合がある（請求項３）。
【００１１】
【作用】
請求項１に係るＩＤカードの作成台紙は、まず裏面の剥離紙をはがしてから中間のラインで印刷シールを折り曲げる。次に、所定箇所の打ち抜き部をはがすと、写真やＩＣチップ等の肉薄材を貼付するための粘着層が露出する。この粘着層を利用して肉薄材を貼着し、保護フィルムの剥離材をはがす。これにより保護フィルムの裏面の接着剤コーティング層が露出するから、当該部分に肉薄材を貼着し、その表面に保護フィルムを貼り付けてカードを作成する。
【００１２】
証明用の肉薄材は写真でも良いしＩＤチップでも良い。ＩＤチップには、識別用の各種データ（写真データ、文字データ、サイン等のイメージデータ、音声照合データ等）を格納しておくことが出来るため、顔写真による証明以上のデータ内容とすることが出来る。ＩＤチップは、単独で用いても良いし、プリントした顔写真と併用しても良い（請求項２）。
【００１３】
請求項３に係る発明は、写真付きの身分証明書を首にかけて使用する場合に、ＩＤカードの表裏に証明用の肉薄材（とくに顔写真）を貼り付けるためのものである。この場合は、折り曲げラインを挟んで印刷シールの表裏に顔写真等を貼着するための打ち抜き部が必要である。この打ち抜き部にかかる部分には、保護フィルムの裏面に剥離材を設けておき、イメージの貼着後に剥離材をはがして保護フィルムをイメージの上に被せ、保護フィルムの裏面を貼着させることによってＩＤカードを作成する。
【００１４】
【発明の実施の形態】
図１は、本発明に係るＩＤカードの作成台紙の構成を分解して例示する斜視図、図２は、本発明に係るＩＤカードの作成台紙の構成を分解して断面で例示する図である。各部材は非常に肉薄であり、実際のスケールでの図示が困難なため図面上は各部材の肉厚を誇張して示してある。
【００１５】
この作成台紙は、裏面に剥離紙１０を備える印刷シール１１と、この印刷シール１１の表面に配した保護フィルム２０とからなる。印刷シール１１は、長手方向の略中間位置に折り曲げ用のライン１２を備え、印刷面の表面側１１−１に、証明用のイメージ（肉薄材；例えば顔写真）の大きさに見合う打ち抜き部１４を備える。１１−２は、本実施形態では印刷面の裏面側である。
【００１６】
折り曲げ用のライン１２は、例えば、印刷シール１１の中間の位置を示す目印となる破線表示や、いわゆるミシン目（不連続な切断部）でもよい。また連続的な切断ラインでもよい。いずれの手段でも印刷シール１１を半分に折り曲げてカードの表裏に印刷面があらわれるように出来ればよい。打ち抜き部１４は、剥離紙１０まで打ち抜く必要はない。
【００１７】
印刷シール１１の裏面全体には、接着剤コーティング層１５を設けてある。この接着剤コーティング層１５は、剥離紙１０によって全体が覆われている。取り扱い時には剥離紙１０の存在によって、接着剤（１５）が手に付着することはない。接着剤コーティング層１５は、印刷シール１１を半分に折り曲げたときにカードの表裏印刷面がずれない程度に設ければよい。
【００１８】
他方、印刷シール１１の上面に存在する保護フィルム２０にも、裏面全体に接着剤コーティング層２５を設けてある。但し、この保護フィルム２０は、本実施形態では長手方向の略中央部を境にして片側が接着剤コーティング層２５を露出させた貼着領域２６とし、残余の部分に、接着剤コーティング層２５を被覆する剥離材２７を設けて、剥離材２７がある部分は、当初、印刷面の表面側１１−１には粘着していない非貼着領域２８としてある。接着剤コーティング層２５を露出させた貼着領域２６は、印刷シール１１の印刷面の裏面側１１−２に予め貼着させておく。非貼着領域２８の部分は、印刷シール１１の印刷面の表面側１１−１の上面を粘着しない状態で被覆している。
【００１９】
かかる作成台紙を用いてＩＤカードを作成するときには、一番下にある剥離紙１０を剥がしてから印刷シール１１を半分に折り曲げる。半分に折り曲げるとカード印刷面が表裏にあらわれる。図３は、印刷シール１１を半分に折り曲げた状態を例示するものである。印刷シール１１や保護フィルム２０は肉薄なので、厚みを誇張して描いてある。
【００２０】
次に、この状態で、打ち抜き部１４を剥がすと、印刷シール１１の裏面に設けた接着剤コーティング層１５があらわれるので、この接着剤コーティング層１５を利用して顔写真等のＩＤ用イメージを貼り付ける。なお、図３に示す状態では、打ち抜き部１４の上を覆っている保護フィルム２０には剥離材２７があるので、保護フィルム２０を持ち上げて浮かし、打ち抜き部１４を剥離させることは容易である。この後、剥離材２７を剥がして接着剤コーティング層２５を露出させ、保護フィルム２０を印刷シール１１の印刷面の表面側１１−１に貼り付ければ、顔写真等を配したＩＤカードが出来あがる。カードの表面は保護フィルム２０によって覆われるから、印刷面や顔写真等の汚損も防止できる。
【００２１】
尚、本発明に係るＩＤカードの作成台紙は、前記構成のものに限定されない。例えば、前記説明では、印刷シール１１の裏面全体に接着剤コーティング層１５を設ける旨説明したが、印刷シール１１を半分に折り曲げて顔写真等のイメージを貼着出来ればよく、必ずしも裏面全体に接着剤コーティング層１５を設ける必要はない。
【００２２】
また顔写真等のイメージを貼り付ける打ち抜き部１４は、印刷シール１１の印刷面の裏面側１１−２にも設けてよい。カードの表裏にもイメージを設けると、カードを首から吊り下げて使用する場合に便利である。その場合には、印刷シール１１の両端部に紐を通すための小孔を設けておくことが望ましい。小孔は、印刷シール１１を二つ折りにしたときに重なり合う位置に配する。
【００２３】
保護フィルム２０は、カードの汚損を防止できればよいのでコストが安い透明の樹脂フィルムを使用する。イメージを含む印刷面の文字や図形等が見える限り着色した透明フィルムを使用しても構わない。印刷シール１１の材質は、紙に限らず柔軟性のある又は肉薄の樹脂を用いても良い。繊維を編み込んだ布地でも同様の手順でＩＤカードを作ることが出来る。
【００２４】
また、顔写真とＩＣチップを併用しても良いが、これらの使用と同時にバーコードを印刷または貼着して使用しても良い。貼着する場合には、必要に応じてバーコード用の打ち抜き部を設ける。シール状のバーコードの場合は、打ち抜き部を設けるまでもない。
【００２５】
【発明の効果】
以上説明したように、本発明に係るＩＤカードの作成台紙によれば、個人ごとに異なる証明用イメージを必要するＩＤカードを速やかに発行処理することが出来る。またカード一枚あたりの作成単価を格段に抑えることが可能となる。
【図面の簡単な説明】
【図１】本発明に係る作成台紙の構成を分解して例示する斜視図である。
【図２】本発明に係る作成台紙の構成を分解して断面で例示する図である。
【図３】本発明に係る作成台紙を折り曲げ状態で例示する断面図である。
【符号の説明】
１０  剥離紙
１１  印刷シール
１１−１  印刷面の表面側
１１−２  印刷面の裏面側
１２  折り曲げ用のライン
１４  打ち抜き部
２０  保護フィルム
１５、２５  接着剤コーティング層
２６  貼着領域
２７  剥離材
２８  非貼着領域
【図１】
2005001223.tif 000003
【図２】
2005001223.tif 000004
【図３】
2005001223.tif 000005